(57)【特許請求の範囲】
【請求項１】
柱と梁で区画される開口部分に複数配設されて耐震壁を構成する壁ユニットであって、
外形輪郭が八角形状の枠部および該枠部内方に形成され一対の対向する斜辺同士を連結する斜方連結部を有するプレキャストコンクリート製八角形ブロックと、
上記枠部の対向する他の一対の斜辺それぞれに貫通形成された孔部と、
上記斜方連結部に上記枠部へわたって貫通形成され、隣接する他の八角形ブロックの上記孔部に連通される空洞部と、
該空洞部に挿入され、隣接する他の八角形ブロックの上記孔部に挿通される連結用鋼棒と、
該連結用鋼棒に締結され、隣接する八角形ブロック同士を締結する締結部材とを備えたことを特徴とする壁ユニット。
【請求項２】
前記枠部には、鉄筋が埋設されていることを特徴とする請求項１に記載の壁ユニット。
【請求項３】
柱と梁で区画される開口部分に構築される耐震壁であって、
斜辺同士が互いに向かい合う配列で上記開口部分に縦横方向に配設され、前記連結用鋼棒および前記締結部材を介して互いに接合されて縦辺および横辺で取り囲んだ開口を形成し、かつ上記柱や上記梁に対し、縦辺や横辺が接合される請求項１に記載の壁ユニットと、
上記連結用鋼棒と接合される接合部を有し、上記壁ユニットの斜辺と上記柱や上記梁との間の隙間にこれを封止すべく配設され、これらに接合されるプレキャストコンクリート製封止ブロックとを備えたことを特徴とする耐震壁。
【請求項４】
前記壁ユニットおよび前記封止ブロックは、前記柱や前記梁に対して、接着材で接合されることを特徴とする請求項３に記載の耐震壁。
【請求項５】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする請求項３または４に記載の耐震壁。
【請求項６】
前記八角形ブロックは、互いに接合されるもの同士の前記斜方連結部の向きが反対方向であることを特徴とする請求項３〜５いずれかの項に記載の耐震壁。
【請求項７】
柱と梁で区画される開口部分に耐震壁を構築する方法であって、
請求項１に記載の壁ユニットおよび請求項４に記載の封止ブロックを用い、
上記開口部分にその内周に沿って適宜に、上記封止ブロックを配設し、かつ該開口部分に縦横に、上記壁ユニットを配設していき、互いに対面し合うこれら壁ユニット相互およびこれら壁ユニットと封止ブロックとを、前記連結用鋼棒を介して順次接合していくとともに、これら壁ユニットおよび封止ブロックと上記柱および上記梁とを接着材で接合していくことを特徴とする耐震壁の構築方法。
【発明の詳細な説明】
【技術分野】
【０００１】
本発明は、ブロックの強度を確保しつつ、合理的に採光や通風を確保することが可能であるとともに、居ながらで施工することが可能な壁ユニット、耐震壁およびその構築方法に関する。
【背景技術】
【０００２】
柱と梁で区画される開口部分に、プレキャストコンクリート製のブロックを配置して構築される耐震壁としては、例えば特許文献１が知られている。特許文献１では、おおよそ、外周に外向きの凹溝が形成され全体として四辺形をなす耐震ブロックと、これを半分にして三角形をなす山形ブロックとを多数用意し、建物の柱と梁に囲まれた構面に、前記耐震ブロックの２本の対角線を上下方向と左右方向とに個別に向けた姿勢で、且つ隣り合う耐震ブロックどうしの各一辺を対向させることにより両耐震ブロックの凹溝どうしによって補強筋を収容する空間を作りながら、前記多数の耐震ブロックと山形ブロックとを建て込むとともに、前記凹溝どうしにより形成される空間にコンクリートモルタル等の固結材を充填して、この固結材と前記露出した補強筋とを介して隣接する各耐震ブロックどうしを連結することにより前記構面の耐震性を強化するようにしている。
【０００３】
耐震ブロックは、Ｖ字状を含み、三角形をなす場合や多角形である場合もある。耐震ブロックには、外周の前記凹溝を形成した部分を枠状に残してその中央部に表裏貫通する窓状孔が形成される。これら耐震ブロック等が配設される全体で枠状をなす左右の柱と上下の梁との内側には外端フレームが設けられる。この外端フレームは、各柱と各梁に、これらの長手方向に沿って２列をなして植設されるアンカー筋と、前記長手方向に延在して設置される主筋と、これらを連結する帯筋と、これらの鉄筋を被覆するように打設される現場打ちコンクリートとからなる。コンクリートは少なくとも柱及び梁に近接した位置の各ブロックが建て込まれた後に打設される。さらに、窓状孔については、柱と梁とに囲まれた構面が開放的な印象を受けるばかりか、気流及び光を通過させることができる。
【特許文献１】特開平９−２２８６５３号公報
【発明の開示】
【発明が解決しようとする課題】
【０００４】
ところで、従来の耐震壁にあっては、柱と梁で区画される開口部分が耐震壁で封鎖されることに対して、採光や通風を確保するにあたり、ブロック自体に窓状孔を形成するようにしていた。このようにブロックに窓状孔を形成すると、ブロック自体の強度低下が懸念されるという課題があった。また、開口部分に組まれたブロックを柱や梁に接合する構成として、アンカー筋などの各種鉄筋を配筋した上で現場打ちコンクリートを打設して外端フレームを構築するようにしていて、特に既設の柱・梁架構に耐震壁を増設する場合など、アンカー筋を既設の柱や梁に定着させるアンカー施工が必要であって、居住者の移転を伴わずに居ながらの施工を行うことができないという課題があった。
【０００５】
本発明は上記従来の課題に鑑みて創案されたものであって、ブロックの強度を確保しつつ、合理的に採光や通風を確保することが可能であるとともに、居ながらで施工することが可能な壁ユニット、耐震壁およびその構築方法を提供することを目的とする。
【課題を解決するための手段】
【０００６】
本発明にかかる壁ユニットは、柱と梁で区画される開口部分に複数配設されて耐震壁を構成する壁ユニットであって、外形輪郭が八角形状の枠部および該枠部内方に形成され一対の対向する斜辺同士を連結する斜方連結部を有するプレキャストコンクリート製八角形ブロックと、上記枠部の対向する他の一対の斜辺それぞれに貫通形成された孔部と、上記斜方連結部に上記枠部へわたって貫通形成され、隣接する他の八角形ブロックの上記孔部に連通される空洞部と、該空洞部に挿入され、隣接する他の八角形ブロックの上記孔部に挿通される連結用鋼棒と、該連結用鋼棒に締結され、隣接する八角形ブロック同士を締結する締結部材とを備えたことを特徴とする。
【０００７】
前記枠部には、鉄筋が埋設されていることを特徴とする。
【０００８】
本発明にかかる耐震壁は、柱と梁で区画される開口部分に構築される耐震壁であって、斜辺同士が互いに向かい合う配列で上記開口部分に縦横方向に配設され、前記連結用鋼棒および前記締結部材を介して互いに接合されて縦辺および横辺で取り囲んだ開口を形成し、かつ上記柱や上記梁に対し、縦辺や横辺が接合される前記壁ユニットと、上記連結用鋼棒と接合される接合部を有し、上記壁ユニットの斜辺と上記柱や上記梁との間の隙間にこれを封止すべく配設され、これらに接合されるプレキャストコンクリート製封止ブロックとを備えたことを特徴とする。
【０００９】
前記壁ユニットおよび前記封止ブロックは、前記柱や前記梁に対して、接着材で接合されることを特徴とする。
【００１０】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする。
【００１１】
前記八角形ブロックは、互いに接合されるもの同士の前記斜方連結部の向きが反対方向であることを特徴とする。
【００１２】
本発明にかかる耐震壁の構築方法は、柱と梁で区画される開口部分に耐震壁を構築する方法であって、前記壁ユニットおよび前記封止ブロックを用い、上記開口部分にその内周に沿って適宜に、上記封止ブロックを配設し、かつ該開口部分に縦横に、上記壁ユニットを配設していき、互いに対面し合うこれら壁ユニット相互およびこれら壁ユニットと封止ブロックとを、前記連結用鋼棒を介して順次接合していくとともに、これら壁ユニットおよび封止ブロックと上記柱および上記梁とを接着材で接合していくことを特徴とする。
【発明の効果】
【００１３】
本発明にかかる壁ユニット、耐震壁およびその構築方法にあっては、ブロックの強度を確保しつつ、合理的に採光や通風を確保することができるとともに、居ながらで施工することができる。
【発明を実施するための最良の形態】
【００１４】
以下に、本発明にかかる壁ユニット、耐震壁およびその構築方法の好適な一実施形態を、添付図面を参照して詳細に説明する。本実施形態にかかる壁ユニット１は基本的には、図１〜図３に示すように、柱２と梁３で区画される開口部分４に複数配設されて耐震壁５を構成する壁ユニット１であって、外形輪郭が八角形状の枠部６ａおよび枠部６ａ内方に形成され一対の対向する斜辺ｗ同士を連結する斜方連結部６ｂを有するプレキャストコンクリート製八角形ブロック６と、枠部６ａの対向する他の一対の斜辺ｗそれぞれに貫通形成された孔部７と、斜方連結部６ｂに枠部６ａへわたって貫通形成され、隣接する他の八角形ブロック６の孔部７に連通される空洞部８と、空洞部８に挿入され、隣接する他の八角形ブロック６の孔部７に挿通される連結用鋼棒９と、連結用鋼棒９に締結され、隣接する八角形ブロック６同士を締結する締結部材１０とを備えて構成される。
【００１５】
また、本実施形態にかかる耐震壁５は図１〜図４に示すように、柱２と梁３で区画される開口部分４に構築される耐震壁５であって、斜辺ｗ同士が互いに向かい合う配列で開口部分４に縦横方向に配設され、連結用鋼棒９および締結部材１０を介して互いに接合されて縦辺ｙおよび横辺ｘで取り囲んだ開口Ｓを形成し、かつ柱２や梁３に対し、縦辺ｙや横辺ｘが接合される上記壁ユニット１と、連結用鋼棒９と接合される接合部１１を有し、壁ユニット１の斜辺ｗと柱２や梁３との間の隙間にこれを封止すべく配設され、これらに接合されるプレキャストコンクリート製封止ブロック１２，１３とを備えて構成される。
【００１６】
柱２と梁３で構成される柱・梁架構には、左右一対の柱２と上下一対の梁３で区画して、矩形状の開口部分４が形成される。この開口部分４に耐震壁５が構築される。本実施形態にあっては、耐震壁５は、開口部分４に積み上げられる壁ユニット１と、これら壁ユニット１と柱２や梁３の間に生ずる隙間を封止する封止ブロック１２，１３とから構成される。
【００１７】
壁ユニット１は、プレキャストコンクリート製八角形ブロック６を主体とする。八角形ブロック６は、内方が中空部分６ｃとされる環状の枠部６ａと当該枠部６ａ内方の中空部分６ｃに形成される斜方連結部６ｂとから構成される。八角形ブロック６は厚さが一定であって、枠部６ａの外形輪郭は図２に示すように、向かい合う縦辺ｙ同士が互いに平行かつ同一長さ寸法であり、向かい合う横辺ｘ同士も互いに平行かつ同一長さ寸法であり、さらに縦辺ｙと横辺ｘとを結ぶ４つの斜辺ｗがすべて同一長さ寸法であって互いに向かい合うもの同士が平行に形成される。枠部６ａの内周はほぼ外形輪郭に沿って形成される。縦辺ｙと横辺ｘの長さは同じにしても、異ならせても良い。枠部６ａ内には、その周方向に沿って補強用の環状鉄筋１４が埋設される。環状鉄筋１４は図示例にあっては、枠部６ａの厚さ方向に間隔を空けて、２本配筋されている。
【００１８】
八角形ブロック６の斜辺ｗは、隣接する他の壁ユニット１の八角形ブロック６や封止ブロック１２，１３との接合部として形成される。斜方連結部６ｂは、対向する一対の斜辺ｗ同士を連結して形成される。また、枠部６ａには、対向する他の一対の斜辺ｗそれぞれに孔部７が貫通形成される。斜方連結部６ｂには、その長さ方向に沿って枠部６ａの斜辺ｗへわたって貫通形成され、隣接する他の八角形ブロック６の斜辺ｗに形成された孔部７に連通される空洞部８が形成される。空洞部８の枠部部分および孔部７はともに、２本の環状鉄筋１４の間を通すようにして形成される。壁ユニット１はさらに、連結用鋼棒９と締結部材１０とを備える。連結用鋼棒９は、両端部にネジ部を有し、空洞部８に挿入される。締結部材１０としては、ネジ部に螺合されるナットが用いられる。
【００１９】
封止ブロック１２，１３としては、壁ユニット１の八角形ブロック６の厚さに合致する一定の厚さであって、外形輪郭が三角形状のブロック１３と、等脚台形状のブロック１２が用いられる。等脚台形状ブロック１２は図４に示すように、長さの短い頂辺ｔｘｙが八角形ブロック６の枠部６ａの縦辺ｙや横辺ｘに合致する長さ寸法であって、斜辺ｔｗが枠部６ａの斜辺ｗの長さに合致する長さ寸法であって、長さの長い底辺ｔｂが枠部６ａの縦辺ｙ間や横辺ｘ間の長さ寸法に合致する長さ寸法で形成される。さらに、三角形状ブロック１３は、直角な頂角と対向する底辺ｒｂが枠部６ａの斜辺ｗの長さに合致する長さ寸法の直角三角形で形成される。等脚台形状ブロック１２の各斜辺ｔｗおよび三角形状ブロック１３の底辺ｒｂには、接合部１１として袋ナットなどのナットが埋設される。また、等脚台形状ブロック１２には、その底辺ｔｂに沿って２本の補強用の鉄筋１５が埋設される。
【００２０】
図示例にあっては、最も大きな八角形ブロック６の外形寸法が例えば、５００ｍｍ程度とされる。これ以外の外形寸法であってもよいことは、もちろんである。またこれらブロック６，１２，１３はいずれも、プレキャストコンクリート製とされる。これらブロック６，１２，１３は、強度の高いコンクリートで形成することが好ましく、例えば、鋼繊維やガラス繊維などの補強繊維材を混入した繊維補強セメントや繊維補強モルタル、繊維補強コンクリートによって形成される。これにより、比較的軽量であってかつ高強度のブロック６，１２，１３を形成することができる。
【００２１】
壁ユニット１の八角形ブロック６は、開口部分４の上下方向および左右方向に縦横に配設される。この際、隣接する八角形ブロック６同士は必ず、斜辺ｗ同士が向かい合う配列とされる。すなわち、図１に示したように、いずれか１つの八角形ブロック６を例にとると、４つある斜辺ｗそれぞれに、４つの八角形ブロック６それぞれのいずれか１つの斜辺ｗが向かい合うように配列される。これにより、八角形ブロック６の右側および左側それぞれに、縦辺ｙの長さ寸法の間隔を隔てて八角形ブロック６が２つずつ配列される。この配列はまた、八角形ブロック６の上側および下側それぞれに、横辺ｘの長さ寸法の間隔を隔てて八角形ブロック６が２つずつ位置する関係にもなる。そして互いに間隔を隔てる八角形ブロック６相互の関係では、横辺ｘ同士や縦辺ｙ同士が向かい合う位置関係となる。
【００２２】
これにより、いずれかの１つの八角形ブロック６の周りには、他の４つの八角形ブロック６によって、これら八角形ブロック６の縦辺ｙや横辺ｘで取り囲まれる開口Ｓが形成される。開口Ｓから周りの八角形ブロック６を見ると、当該開口Ｓは、その周りに配列される４つの八角形ブロック６の縦辺ｙおよび横辺ｘで取り囲んで矩形状に形成される。また、隣接する八角形ブロック６の斜辺ｗ同士が向かい合うように配列される際、一方の八角形ブロック６の斜方連結部６ｂの空洞部８が、他方の八角形ブロック６の孔部７に連通するように組み合わせられる。
【００２３】
また、壁ユニット１の八角形ブロック６のうち、柱２や梁３に接する部分の八角形ブロック６は、それらの縦辺ｙや横辺ｘが柱面２ａや梁面３ａに向かい合うように配設される。そのため、八角形ブロック６の斜辺ｗは柱面２ａや梁面３ａに当接し得ないため、八角形ブロック６の斜辺ｗと柱面２ａや梁面３ａとの間には、隙間が生じる。これら隙間には、封止ブロック１２，１３が配設される。開口部分４の隅角部と八角形ブロック６の斜辺ｗとの間の三角形状の隙間には、これを封止すべく、合致する形状の三角形状ブロック１３が配設される。
【００２４】
他方、縦方向や横方向に対をなす八角形状ブロック６の斜辺ｗ間と柱面２ａや梁面３ａとの間の隙間には、これを封止すべく、等脚台形状ブロック１２が配設される。等脚台形状ブロック１２は、それらの斜辺ｔｗが八角形ブロック６の斜辺ｗに向かい合い、底辺ｔｂが柱面２ａや梁面３ａに向かい合う配置で配設され、これにより頂辺ｔｘｙと八角形ブロック６の縦辺ｙや横辺ｘとの組み合わせで取り囲んで開口Ｓが形成される。さらに、図１中、開口部分４左側の上下２つの隅角部では、２つの等脚台形状ブロック１２をＬ字状に組み合わせて、一対の八角形ブロック６の斜辺ｗ間と隅角部との間の隙間が封止され、かつこれら八角形ブロック６の縦辺ｙおよび横辺ｘと２つの等脚台形状ブロック１２の２つの頂辺ｔｘｙで取り囲んで開口Ｓが形成される。
【００２５】
壁ユニット１の八角形ブロック６同士は、それらの斜辺ｗを介して互いに接合される。斜方連結部６ｂで結合された一対の斜辺ｗについては、これら斜辺ｗそれぞれに、隣接する２つの八角形ブロック６の孔部７が形成された斜辺ｗがそれぞれ当接され、連結用鋼棒が一方の孔部７から空洞部８を介して他方の孔部７へと貫通して挿入され、それぞれの孔部７から外方に露出された連結用鋼棒９両端部のネジ部に締結部材１０が締結される。また、孔部７が形成された他の一対の斜辺ｗについては、これら斜辺ｗそれぞれに、隣接する２つの八角形ブロック６の空洞部８が形成された斜辺ｗがそれぞれ当接され、各空洞部８からこれら孔部７を介して枠部６ａ内方へ突出された連結用鋼棒９のネジ部に締結部材１０が締結される。これにより、八角形ブロック６は、その周りの八角形ブロック６と連結用鋼棒９および締結部材１０を介して一体的に接合される。そして壁ユニット１個々としては、斜方連結部６ｂによって圧縮力を負担し、連結用鋼棒９によって引張力を負担するようになっている。
【００２６】
そしてまた、八角形ブロック６は、互いに接合されるもの同士の斜方連結部６ｂの向きが反対方向に設定されていて、これにより、耐震壁５に作用する力を耐震壁５全体に分散させて、バランスよく応力を伝達吸収することができる。
【００２７】
壁ユニット１の八角形ブロック６と等脚台形状ブロック１２も、それらの斜辺ｗ，ｔｗを介して、空洞部８から挿通される連結用鋼棒９が等脚台形状ブロック１２の接合部１１に締結されて接合される。八角形ブロック６と三角形状ブロック１３は、斜辺ｗと底辺ｒｂとが互いに当接され、空洞部８から挿通される連結用鋼棒９が三角形状ブロック１３の接合部１１に締結されて接合される。連結用鋼棒９による接合がなされないブロック６，１２，１３相互の当接面は別途、ボルト１６によって接合される。
【００２８】
また、柱面２ａや梁面３ａに対する壁ユニット１の八角形ブロック６の接合は、それらの縦辺ｙや横辺ｘを接着材で接着することにより行われる。柱面２ａや梁面３ａに対する等脚台形状ブロック１２の接合は、それらの底辺ｔｂを接着材で接着することで行われる。さらに、柱面２ａや梁面３ａに対する三角形状ブロック１３の接合は、それらの斜辺ｒｗを接着材で接着することで行われる。
【００２９】
本実施形態にかかる耐震壁５の構築方法は、上記壁ユニット１および上記封止ブロック１２，１３を用い、開口部分４にその内周に沿って適宜に封止ブロック１２，１３を配設していく工程と、開口部分４に縦横に、壁ユニット１の八角形ブロック６を配設していく工程と、互いに対面し合うこれら八角形ブロック６相互およびこれら八角形ブロック６と封止ブロック１２，１３とを、連結用鋼棒９を介して順次接合していく工程と、これら壁ユニット１および封止ブロック１２，１３と柱２および梁３とを接着材で接合していく工程とを備える。要するに、開口部分４に行き渡るようにブロック６，１２，１３を配設していく手順と、ブロック６，１２，１３同士を連結用鋼棒９および締結部材１０、接合部１１を介して接合する手順と、これらブロック６，１２，１３と柱２および梁３とを接着材で接合する手順を適宜タイミングで行って、ブロック６，１２，１３で開口部分４に壁５を構築すればよい。
【００３０】
殊に、八角形ブロック６の縦辺ｙや横辺ｘ、斜辺ｗの寸法に合わせて封止ブロック１２，１３を形成しているので、例えば、開口部分４の隅角部に三角形状ブロック１３を配置した上で、等脚台形状ブロック１２を、八角形ブロック６の横辺ｘの長さ寸法の間隔を隔てて開口部分４の下部に配列すれば、これら封止ブロック１２，１３を定規として順次八角形ブロック６を縦横方向に容易かつ適切に配列していくことができる。そして八角形ブロック６同士および八角形ブロック６と封止ブロック１２，１３とは、締結部材１０や接合部１１で連結用鋼棒９を締結することによって互いに接合される。連結用鋼棒９による接合を行わない箇所については、接着材で接合を行う。図１中、開口部分４左側の上下２つの隅角部にＬ字状に配置される２つの等脚台形状ブロック１２同士は、接着材で互いに接着される。
【００３１】
以上説明した本実施形態にかかる壁ユニット１、耐震壁５およびその構築方法にあっては、外形輪郭が八角形状の枠部６ａおよび枠部６ａ内方に形成され一対の斜辺ｗ同士を連結する斜方連結部６ｂを有し、斜辺ｗ同士が向かい合う配列で開口部分４に縦横方向に配設され互いに接合されて、縦辺ｙおよび横辺ｘで取り囲んだ開口Ｓを形成する壁ユニット１の八角形ブロック６を主体とするので、従来のようにブロック自体に窓状孔などを形成して通風・採光を確保するものとは異なり、単体として形作られた八角形ブロック６同士の組み合わせによって、採光や通風を確保する開口Ｓを合理的に耐震壁５内に形成することができる。そしてこの開口Ｓの配列により、耐震壁５のデザイン性も向上することができる。
【００３２】
また、壁ユニット１相互は、連結用鋼棒９と締結部材１０により、壁ユニット１と封止ブロック１２，１３とは連結用鋼棒９と接合部１１により、容易な作業で接合を行うことができる。連結用鋼棒９は、枠部６ａ内に形成した斜方連結部６ｂに配設され、八角形ブロック６にその斜辺ｗを介して作用する圧縮力を斜方連結部６ｂで、引張力を連結用鋼棒９で負担するので、八角形ブロック６自体、そしてまた耐震壁５の高い強度を確保することができる。また、この連結用鋼棒９および斜方連結部６ｂは、互いに接合される八角形ブロック６同士で向きが反対方向に設定されるので、地震力などの左右方向から反復的に作用する外力であっても耐震壁５全体にスムーズに分散させることができて、バランスよく応力を伝達吸収することができる。また、八角形ブロック６や等脚台形状ブロック１２内に鉄筋１４，１５を埋設していて、これによっても強度を増強することができる。
【００３３】
さらに、ブロック６，１２，１３を高靭性かつ高強度の繊維補強セメントや繊維補強モルタル、繊維補強コンクリートで形成するようにしたので、同程度の強度のブロックを普通コンクリートなどで製造する場合に比べて軽量化できるとともに、ブロック６，１２，１３自体、そしてまた耐震壁５の強度をさらに高く確保できる。また、八角形ブロック６の強度が高いので、枠部６ａと斜方連結部６ｂとで構成して、その内方にも採光や通風用の中空部分６ｃを確保することができる。このように八角形ブロック６自体の強度を高く確保できるとともに、連結用鋼棒９を介した連結による八角形ブロック６と封止ブロック１２，１３の積み上げで堅固な耐震壁５が構築されるため、開口部分４周りや開口部分４内方に、補強用やブロックとの取り合いを確保する配筋を行う必要がなく、柱２や梁３に対しては、接着材で接合する接合作業で耐震壁５を構築することができる。このように締結や接着材による接合で耐震壁５が構築されるので、騒音や振動、粉塵発生がなく、居ながらで耐震壁５を施工することができる。
【００３４】
また、封止ブロック１２，１３として、八角形ブロック６の斜辺ｗの長さに合致する長さの斜辺ｔｗと、八角形ブロック６の縦辺ｙや横辺ｘの長さに合致する長さの頂辺ｔｘｙを備える等脚台形状ブロック１２を用いるようにしたので、開口部分４周りに配列した当該等脚台形状ブロック１２を定規として容易かつ円滑に八角形ブロック６を積み上げていくことができる。さらに本実施形態にあっては、もっとも大きな八角形ブロック６の外形寸法が５００ｍｍ程度とされるので、既設の建物での耐震壁５の増設の場合など、狭い空間での施工であっても、適切かつ円滑に耐震壁５を構築することができる。
【００３５】
また、八角形ブロック６については、力の伝達作用を有利に確保する面から言えば、外形輪郭を正八角形として斜辺ｗを４５°に設定することが好ましい。また、縦辺ｙと横辺ｘの長さを異ならせることで、デザイン的に開口Ｓの形態を変更することができる。また、上記実施形態にあっては、開口部分４の隅角部に三角形状ブロック１３を配置する場合を例示して説明したが、三角形状ブロック１３は必要に応じて設ければよい。三角形状ブロック１３を設ければ、構造強度上有利になる一方で、省略した場合には、その部分も採光・通風に利用することができるとともに、隅角部におけるボルト接合を省略できて、施工性を向上できる。
【図面の簡単な説明】
【００３６】
【図１】本発明にかかる壁ユニット、耐震壁およびその構築方法の好適な一実施形態を示す柱・梁架構の開口部分の正面図である。
【図２】本発明にかかる壁ユニットを構成する八角形ブロックの好適な一実施形態を示す正面断面図である。
【図３】図２中、Ａ−Ａ線矢視断面図である。
【図４】図１の耐震壁およびその構築方法に用いられる等脚台形状ブロックを示す正面断面図である。
【符号の説明】
【００３７】
１  壁ユニット
２  柱
３  梁
４  開口部分
５  耐震壁
６  プレキャストコンクリート製八角形ブロック
６ａ  八角形ブロックの枠部
６ｂ  八角形ブロックの斜方連結部
７  八角形ブロックの孔部
８  八角形ブロックの空洞部
９  連結用鋼棒
１０  締結部材
１１  接合部
１２  プレキャストコンクリート製等脚台形状ブロック
１３  プレキャストコンクリート製三角形状ブロック
１４  鉄筋
ｗ  八角形ブロックの斜辺
ｙ  八角形ブロックの縦辺
ｘ  八角形ブロックの横辺
Ｓ  開口
【図１】
0004571068.tif 000002
【図２】
0004571068.tif 000003
【図３】
0004571068.tif 000004
【図４】
0004571068.tif 000005